(57)【要約】      （修正有）【課題】自由形状式表示パネルを提供する。【解決手段】表示パネルは表示区及び非表示区を有する。非表示区は表示区を包囲させ、表示区は中央画素区及び縁端画素区を有し、縁端画素区は中央画素区と非表示区との間に位置される。表示パネルは、第一基板と、第一基板に対向する一側に位置される第二基板と、第一基板と第二基板との間に位置される表示媒体層と、第二基板に設置される複数の第一電極を有し、且つ中央画素区に位置される複数の中央画素ユニット２３ａと、第二基板に設置される複数の第二電極を有し、且つ縁端画素区に位置される複数の縁端画素ユニット２３ｂとを備える。部分的に隣接する縁端画素ユニットの最も外側の縁端は階段状構造を呈し、且つ少なくとも１つの縁端画素ユニット２３ｂの光出力面積は少なくとも１つの中央画素ユニット２３ａの光出力面積より小さい。【選択図】図６
2016085448.tif 000002
【特許請求の範囲】
【請求項１】
表示区及び非表示区を有し、前記非表示区は前記表示区を包囲させ、且つ前記表示区は中央画素区及び縁端画素区を有し、前記縁端画素区は前記中央画素区と前記非表示区との間に位置される表示パネルであって、
第一基板と、
前記第一基板に対向する一側に位置される第二基板と、
前記第一基板と前記第二基板との間に位置される表示媒体層と、
前記第二基板に設置される複数の第一電極を有し、且つ前記中央画素区に位置される複数の中央画素ユニットと、
前記第二基板に設置される複数の第二電極を有し、且つ前記縁端画素区に位置される複数の縁端画素ユニットとを備え、
ここでは、部分的に隣接するこれら前記縁端画素ユニットの最も外側の縁端は階段状構造を呈し、且つ少なくとも１つのこれら前記縁端画素ユニットの光出力面積は少なくとも１つのこれら前記中央画素ユニットの光出力面積より小さいことを特徴とする表示パネル。
【請求項２】
これら前記第一電極及びこれら前記第二電極の構造は同じであることを特徴とする、請求項１に記載の表示パネル。
【請求項３】
一部のこれら前記第二電極の構造はこれら前記第一電極の構造とは異なることを特徴とする、請求項１に記載の表示パネル。
【請求項４】
前記非表示区内に位置され、且つ前記第一基板に位置される第一ブラックマトリクスと、
前記表示区内に位置され、且つ前記第一基板に位置され、中央画素ブラックマトリクス及び縁端画素ブラックマトリクスを含む第二ブラックマトリクスとをさらに備え、
ここでは、前記中央画素ブラックマトリクスはこれら前記中央画素ユニットの間隔を空けるのに用いられ、これにより、複数の中央開口部区域がこれら前記第一電極をそれぞれ露出させ、且つ前記縁端画素ブラックマトリクスはこれら前記縁端画素ユニットの間隔を空けるのに用いられ、これにより、複数の縁端開口部区域がこれら前記第二電極をそれぞれ露出させることを特徴とする、請求項１に記載の表示パネル。
【請求項５】
これら前記中央画素ユニットの光出力面積はそれが対応される前記中央画素ブラックマトリクスのこれら前記中央開口部区域で露出するこれら前記第一電極の稼働区域の面積と前記中央画素ブラックマトリクスの開口率との乗積であり、且つこれら前記縁端画素ユニットの光出力面積はそれが対応される前記縁端画素ブラックマトリクスのこれら前記縁端開口部区域で露出するこれら前記第二電極の稼働区域面積と前記縁端画素ブラックマトリクスの開口率との乗積であることを特徴とする、請求項４に記載の表示パネル。
【請求項６】
これら前記縁端画素ユニットが対応されるこれら前記縁端開口部区域は第一側辺及び前記第一側辺に実質平行する第二側辺をそれぞれ含み、且つ前記第一側辺と前記第二側辺との間には前記第一側辺及び前記第二側辺に相互に交叉する傾斜辺を有することを特徴とする、請求項４に記載の表示パネル。
【請求項７】
これら前記中央画素ユニットは第一中央サブ画素ユニットと、第二中央サブ画素ユニットと、第三中央サブ画素ユニットとをそれぞれ含み、また、これら前記縁端画素ユニットは第一縁端サブ画素ユニットと、第二縁端サブ画素ユニットと、第三縁端サブ画素ユニットとをそれぞれ含み、前記第一中央サブ画素ユニット及び前記第一縁端サブ画素ユニットは第一カラーをそれぞれ表示させ、前記第二中央サブ画素ユニット及び前記第二縁端サブ画素ユニットは第二カラーをそれぞれ表示させ、前記第三中央サブ画素ユニット及び前記第三縁端サブ画素ユニットは第三カラーをそれぞれ表示させ、且つ前記第一カラー、前記第二カラー及び前記第三カラーはそれぞれ異なるカラーであり、前記第一縁端サブ画素ユニットの光出力面積は前記第一中央サブ画素ユニットの光出力面積より小さいことを特徴とする、請求項１に記載の表示パネル。
【請求項８】
前記第一縁端サブ画素ユニット、前記第二縁端サブ画素ユニット及び前記第三縁端サブ画素ユニットの光出力面積は前記第一中央サブ画素ユニット、前記第二中央サブ画素ユニット及び前記第三中央サブ画素ユニットの光出力面積よりそれぞれ小さいことを特徴とする、請求項７に記載の表示パネル。
【請求項９】
何れか１つの前記縁端画素ユニットにおける前記第一縁端サブ画素ユニット、前記第二縁端サブ画素ユニット及び前記第三縁端サブ画素ユニットの光出力面積は実質同じであることを特徴とする、請求項７に記載の表示パネル。
【請求項１０】
一部のこれら前記縁端画素ユニットにおける前記第一縁端サブ画素ユニット、前記第二縁端サブ画素ユニット及び前記第三縁端サブ画素ユニットが対応される前記縁端画素ブラックマトリクスのこれら前記縁端開口部区域は前記第一中央サブ画素ユニット、前記第二中央サブ画素ユニット及び前記第三中央サブ画素ユニットが対応される前記中央画素ブラックマトリクスのこれら前記中央開口部区域よりそれぞれ小さいことを特徴とする、請求項４に記載の表示パネル。
【請求項１１】
一部のこれら前記縁端画素ユニットの前記第一縁端サブ画素ユニット、前記第二縁端サブ画素ユニット及び前記第三縁端サブ画素ユニットが対応される前記縁端画素ブラックマトリクスのこれら前記縁端開口部区域で露出するこれら前記第二電極の稼働区域は前記第一中央サブ画素ユニット、前記第二中央サブ画素ユニット及び前記第三中央サブ画素ユニットが対応される前記中央画素ブラックマトリクスのこれら前記中央開口部区域で露出するこれら前記第一電極の稼働区域よりそれぞれ小さいことを特徴とする、請求項４に記載の表示パネル。
【請求項１２】
前記第一中央サブ画素ユニット、前記第二中央サブ画素ユニット及び前記第三中央サブ画素ユニットは第一方向に沿って配列され、前記第一縁端サブ画素ユニット、前記第二縁端サブ画素ユニット及び前記第三縁端サブ画素ユニットは前記第一方向に沿って配列され、前記第一縁端サブ画素ユニット、前記第二縁端サブ画素ユニット及び前記第三縁端サブ画素ユニットの前記第一方向上の広さは前記第一中央サブ画素ユニット、前記第二中央サブ画素ユニット及び前記第三中央サブ画素ユニットの前記第一方向上の広さよりそれぞれ狭いことを特徴とする、請求項８に記載の表示パネル。
【請求項１３】
前記第一中央サブ画素ユニット、前記第二中央サブ画素ユニット及び前記第三中央サブ画素ユニットは第一方向に沿って配列され、前記第一縁端サブ画素ユニット、前記第二縁端サブ画素ユニット及び前記第三縁端サブ画素ユニットは前記第一方向に沿って配列され、前記第一縁端サブ画素ユニット、前記第二縁端サブ画素ユニット及び前記第三縁端サブ画素ユニットの第二方向上の広さは前記第一中央サブ画素ユニット、前記第二中央サブ画素ユニット及び前記第三中央サブ画素ユニットの前記第二方向上の広さよりそれぞれ狭く、且つ前記第二方向は実質的に前記第一方向に垂直になることを特徴とする、請求項８に記載の表示パネル。
【請求項１４】
一部のこれら前記縁端画素ユニットにおける前記第一縁端サブ画素ユニット、前記第二縁端サブ画素ユニット及び前記第三縁端サブ画素ユニットは第一方向に沿って順に配列され、前記第一縁端サブ画素ユニット、前記第二縁端サブ画素ユニット及び前記第三縁端サブ画素ユニットの最も外側の縁端は階段状を呈し、且つ前記第一縁端サブ画素ユニットが対応される前記縁端画素ブラックマトリクスの前記縁端開口部区域は前記第二縁端サブ画素ユニットが対応される前記縁端画素ブラックマトリクスの前記縁端開口部区域より小さく、前記第二縁端サブ画素ユニットが対応される前記縁端画素ブラックマトリクスの前記縁端開口部区域は前記第三縁端サブ画素ユニットが対応される前記縁端画素ブラックマトリクスの前記縁端開口部区域より小さいことを特徴とする、請求項４に記載の表示パネル。
【請求項１５】
表示区及び非表示区を有し、前記非表示区は前記表示区を包囲させ、且つ前記表示区は中央画素区及び縁端画素区を有し、前記縁端画素区は前記中央画素区と前記非表示区との間に設置される表示パネルであって、
第一基板と、
前記第一基板に対向する一側に位置される第二基板と、
前記第一基板と前記第二基板との間に位置される表示媒体層と、
前記第二基板に設置される複数の第一電極を有し、且つ前記中央画素区に位置される複数の中央画素ユニットと、
前記第二基板に設置される複数の第二電極を有し、且つ前記縁端画素区に位置される複数の縁端画素ユニットとを備え、
ここでは、これら前記中央画素ユニットは第一中央サブ画素ユニットと、第二中央サブ画素ユニットと、第三中央サブ画素ユニットとをそれぞれ含み、また、これら前記縁端画素ユニットは第一縁端サブ画素ユニットと、第二縁端サブ画素ユニットと、第三縁端サブ画素ユニットとをそれぞれ含み、前記第一中央サブ画素ユニット、前記第二中央サブ画素ユニット及び前記第三中央サブ画素ユニットは第一方向に沿って配列され、前記第一縁端サブ画素ユニット、前記第二縁端サブ画素ユニット及び前記第三縁端サブ画素ユニットは第三方向に沿って配列され、且つ第三方向と前記第一方向との間には狭角を有し、前記第一縁端サブ画素ユニット、前記第二縁端サブ画素ユニット及び前記第三縁端サブ画素ユニットは前記第一方向と相互に交叉する側辺に互いに平行することを特徴とする表示パネル。
【請求項１６】
前記狭角は１０度から８０度の間であることを特徴とする、請求項１５に記載の表示パネル。
【請求項１７】
前記第一縁端サブ画素ユニット、前記第二縁端サブ画素ユニット及び前記第三縁端サブ画素ユニットの前記側辺と前記第一方向とがそれぞれ同じ狭角を呈することを特徴とする、請求項１５に記載の表示パネル。
【請求項１８】
これら前記中央画素ユニットは矩形を呈し、これら前記縁端画素ユニットは三角形を呈することを特徴とする、請求項１５に記載の表示パネル。
【請求項１９】
前記非表示区内に位置され、且つ前記第一基板に位置される第一ブラックマトリクスをさらに備え、
前記第一縁端サブ画素ユニットは前記第一ブラックマトリクスに隣接し、且つ前記第二縁端サブ画素ユニットは前記第一縁端サブ画素ユニットと前記第三縁端サブ画素ユニットとの間に位置され、前記第一縁端サブ画素ユニット及び前記第二縁端サブ画素ユニットは台形をそれぞれ呈し、前記第三縁端サブ画素ユニットは三角形を呈することを特徴とする、請求項１７に記載の表示パネル。
【請求項２０】
前記表示区内に位置され、且つ前記第一基板に位置される第二ブラックマトリクスをさらに備え、
前記第二ブラックマトリクスは中央画素ブラックマトリクス及び縁端画素ブラックマトリクスを含み、前記中央画素ブラックマトリクスはこれら前記中央画素ユニットの間隔を空けるのに用いられ、これにより、複数の中央開口部区域がこれら前記第一電極をそれぞれ露出させ、前記縁端画素ブラックマトリクスはこれら前記縁端画素ユニットの間隔を空けるのに用いられ、これにより、複数の縁端開口部区域がこれら前記第二電極をそれぞれ露出させ、
何れか１つの前記縁端画素ユニットにおける前記第一縁端サブ画素ユニット、前記第二縁端サブ画素ユニット及び前記第三縁端サブ画素ユニットの光出力面積は実質同じであることを特徴とする、請求項１７に記載の表示パネル。
【発明の詳細な説明】
【技術分野】
【０００１】
本発明は、表示区域が円形に近似する表示パネルに関する。
【背景技術】
【０００２】
表示器技術の不断の進歩に伴い、あらゆる装置が小型化、薄型、軽量化等を目指して発展している。このため、現在市場で主流の表示器装置は、ブラウン管から液晶表示装置やＯＬＥＤ装置等の薄型表示装置へと変化している。特に、薄型表示装置が応用される分野は非常に多く、日常生活で使用される腕時計や、携帯電話、ノートパソコン、ビデオカメラ、カメラ、音楽プレーヤー、ＧＰＳ装置、テレビ等の表示装置がある。
【０００３】
また、よくある表示装置の多くは方形の構造を有する。近年、美観やデザイン性が求められており、表示パネルも幾種類もの多様な外形のデザインが登場している。例えば、円形、三角形、菱形等の自由な形状の構造がある。腕時計等にも表示装置を搭載するように発展しているため、現在のポピュラーな円形の腕時計の形態に近付けるためには、円形の表示パネルが必要になる。
【発明の概要】
【発明が解決しようとする課題】
【０００４】
しかしながら、前述した従来の表示パネル技術では、即ち、任意の形状に切断する方式によってパネルを弧形の縁端を切断するが、表示区中では画素ユニットがアレイ状に規則的に配列され、所定の弧形の縁端箇所には画素ユニットがアレイ状に配列されるために、のこぎりの歯状の縁端が形成され、目的としている弧形の縁端には全く近付かず、消費者の需要に応えられていない。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、自由形状式表示パネルを提供することを主目的とする。換言すれば、縁端画素区に位置される縁端画素ユニットが対応される縁端画素ブラックマトリクスの縁端開口部区域或いは電極稼働区域の面積が、中央画素区に位置される中央画素ユニットが対応される中央画素ブラックマトリクスの中央開口部区域ないしは電極の稼働区域の面積より小さく設計され、これにより自由形状式表示パネルの非表示区域に位置されるブラックマトリクスに隣接する縁端画素ユニットのカラー及び形状が理想的ではなかったという問題を改善させる。
【課題を解決するための手段】
【０００７】
上述した課題を解決し、目的を達成するために、本発明に係る自由形状式表示パネルは、表示区及び非表示区を有し、前記非表示区は前記表示区を包囲させ、且つ前記表示区は中央画素区及び縁端画素区を有し、前記縁端画素区は前記中央画素区と前記非表示区との間に位置される表示パネルであって、第一基板と、前記第一基板に対向する一側に位置される第二基板と、前記第一基板と前記第二基板との間に位置される表示媒体層と、前記第二基板に設置される複数の第一電極を有し、且つ前記中央画素区に位置される複数の中央画素ユニットと、前記第二基板に設置される複数の第二電極を有し、且つ前記縁端画素区に位置される複数の縁端画素ユニットとを備え、ここでは、部分的に隣接するこれら前記縁端画素ユニットの最も外側の縁端は階段状構造を呈し、且つ少なくとも１つのこれら前記縁端画素ユニットの光出力面積は少なくとも１つのこれら前記中央画素ユニットの光出力面積より小さいことを特徴とする。
【０００８】
本発明に係る自由形状式表示パネルにおいて、第一電極及び第二電極の構造は同じである。或いは、一部の第二電極の構造が第一電極の構造とは異なる。
【０００９】
本発明に係る自由形状式表示パネルは、前記非表示区内に位置され、且つ前記第一基板に位置される第一ブラックマトリクスと、前記表示区内に位置され、且つ前記第一基板に位置される第二ブラックマトリクスとをさらに備える。前記第二ブラックマトリクスは中央画素ブラックマトリクス及び縁端画素ブラックマトリクスを含む。中央画素ブラックマトリクスは中央画素ユニットの間隔を空けるのに用いられ、複数の中央開口部区域がこれら前記第一電極をそれぞれ露出させる。縁端画素ブラックマトリクスは縁端画素ユニットの間隔を空けるのに用いられ、複数の縁端開口部区域がこれら前記第二電極をそれぞれ露出させる。
【００１０】
本発明に係る自由形状式表示パネルにおいて、中央画素ユニットの光出力面積はそれが対応される中央画素ブラックマトリクスの中央開口部区域で露出する第一電極の稼働区域の面積と中央画素ブラックマトリクスの開口率との乗積であり、縁端画素ユニットの光出力面積はそれが対応される縁端画素ブラックマトリクスの縁端開口部区域で露出する第二電極の稼働区域の面積と縁端画素ブラックマトリクスの開口率との乗積である。ここでは、中央画素ブラックマトリクス／縁端画素ブラックマトリクスの開口率とは中央画素ユニット／縁端画素ユニットの区域の面積と中央画素ブラックマトリクス／縁端画素ブラックマトリクスの中央開口部区域／縁端開口部区域との比率値であり、中央画素ユニット／縁端画素ユニットの区域の面積はそれが対応される中央画素ブラックマトリクス／縁端画素ブラックマトリクスの隣接する２つの中央開口部区域／縁端開口部区域の隣接する２つの側辺の間の中心線により定義される。
【００１１】
本発明に係る自由形状式表示パネルにおいて、縁端画素ユニットが対応される縁端画素ブラックマトリクスの縁端開口部区域は第一側辺及び第一側辺に実質平行する第二側辺をそれぞれ含み、且つ第一側辺と第二側辺との間には第一側辺及び第二側辺に相互に交叉する傾斜辺を有する。
【００１２】
本発明に係る自由形状式表示パネルにおいて、これら前記中央画素ユニットは第一中央サブ画素ユニットと、第二中央サブ画素ユニットと、第三中央サブ画素ユニットとをそれぞれ含み、また、これら前記縁端画素ユニットは第一縁端サブ画素ユニットと、第二縁端サブ画素ユニットと、第三縁端サブ画素ユニットとをそれぞれ含み、第一中央サブ画素ユニット及び第一縁端サブ画素ユニットは第一カラーをそれぞれ表示させ、第二中央サブ画素ユニット及び第二縁端サブ画素ユニットは第二カラーをそれぞれ表示させ、第三中央サブ画素ユニット及び第三縁端サブ画素ユニットは第三カラーをそれぞれ表示させ、且つ第一カラー、第二カラー及び第三カラーはそれぞれ異なるカラーである。第一縁端サブ画素ユニットの光出力面積は前記第一中央サブ画素ユニットの光出力面積より小さく、第二縁端サブ画素ユニットの光出力面積は第二中央サブ画素ユニットの光出力面積より小さく、及び／或いは第三縁端サブ画素ユニットの光出力面積は第三中央サブ画素ユニットの光出力面積より小さい。
【００１３】
本発明に係る自由形状式表示パネルにおいて、第一縁端サブ画素ユニット、第二縁端サブ画素ユニット及び第三縁端サブ画素ユニットの光出力面積は第一中央サブ画素ユニット、第二中央サブ画素ユニット及び第三中央サブ画素ユニットの光出力面積よりそれぞれ小さい。一部の縁端画素ユニットにおける第一縁端サブ画素ユニット、第二縁端サブ画素ユニット及び第三縁端サブ画素ユニットが対応される縁端画素ブラックマトリクスのこれら前記縁端開口部区域は第一中央サブ画素ユニット、第二中央サブ画素ユニット及び第三中央サブ画素ユニットが対応される中央画素ブラックマトリクスのこれら前記中央開口部区域よりそれぞれ小さい。或いは、一部の縁端画素ユニットにおける第一縁端サブ画素ユニット、第二縁端サブ画素ユニット及び第三縁端サブ画素ユニットが対応される縁端画素ブラックマトリクスのこれら前記縁端開口部区域で露出する第二電極の稼働区域は第一中央サブ画素ユニット、第二中央サブ画素ユニット及び第三中央サブ画素ユニットが対応される前記中央画素ブラックマトリクスのこれら前記中央開口部区域で露出する第一電極の稼働区域よりそれぞれ小さい。または、一部の縁端画素ユニットにおける第一縁端サブ画素ユニット、第二縁端サブ画素ユニット及び第三縁端サブ画素ユニットが対応される前記縁端画素ブラックマトリクスのこれら前記縁端開口部区域及び露出される第二電極の稼働区域は第一中央サブ画素ユニット、第二中央サブ画素ユニット及び第三中央サブ画素ユニットが対応される前記中央画素ブラックマトリクスのこれら前記中央開口部区域及び露出される第一電極の稼働区域よりそれぞれ小さい。
【００１４】
本発明に係る自由形状式表示パネルにおいて、何れか１つの縁端画素ユニットにおける第一縁端サブ画素ユニット、第二縁端サブ画素ユニット及び第三縁端サブ画素ユニットの光出力面積は実質同じである。
【００１５】
本発明に係る自由形状式表示パネルにおいて、各中央画素ユニットの第一中央サブ画素ユニット、第二中央サブ画素ユニット及び第三中央サブ画素ユニットは第一方向に沿って配列され、各縁端画素ユニットの第一縁端サブ画素ユニット、第二縁端サブ画素ユニット及び第三縁端サブ画素ユニットは第一方向に沿って配列される。一部の縁端画素ユニットにおける第一縁端サブ画素ユニット、第二縁端サブ画素ユニット及び第三縁端サブ画素ユニットの第一方向上の広さは第一中央サブ画素ユニット、第二中央サブ画素ユニット及び第三中央サブ画素ユニットの第一方向上の広さよりそれぞれ狭い。或いは、一部の縁端画素ユニットにおける第一縁端サブ画素ユニット、第二縁端サブ画素ユニット及び第三縁端サブ画素ユニットの第二方向上の広さは第一中央サブ画素ユニット、第二中央サブ画素ユニット及び第三中央サブ画素ユニットの第二方向上の広さよりそれぞれ狭く、且つ第二方向は第一方向に実質垂直になる。または、一部の縁端画素ユニットにおける第一縁端サブ画素ユニット、第二縁端サブ画素ユニット及び第三縁端サブ画素ユニットの第一方向上及び第二方向上の広さは第一中央サブ画素ユニット、第二中央サブ画素ユニット及び第三中央サブ画素ユニットの第一方向上及び第二方向上の広さよりそれぞれ狭い。
【００１６】
本発明に係る自由形状式表示パネルにおいて、一部の縁端画素ユニットにおける第一縁端サブ画素ユニット、第二縁端サブ画素ユニット及び第三縁端サブ画素ユニットは第一方向に沿って順に配列される。第一縁端サブ画素ユニット、第二縁端サブ画素ユニット及び第三縁端サブ画素ユニットの最も外側の縁端は階段状を呈し、且つ第一縁端サブ画素ユニットが対応される縁端画素ブラックマトリクスの縁端開口部区域は第二縁端サブ画素ユニットが対応される縁端画素ブラックマトリクスの縁端開口部区域より小さく、第二縁端サブ画素ユニットが対応される縁端画素ブラックマトリクスの縁端開口部区域は第三縁端サブ画素ユニットが対応される縁端画素ブラックマトリクスの縁端開口部区域より小さい。
【００１７】
また、本発明が提供される他の自由形状式表示パネルは、表示区域及び非表示区域を有する。非表示区域は表示区域を包囲させ、表示区域は中央画素区及び縁端画素区を有し、縁端画素区は中央画素区と非表示区域との間に設置される。また、表示パネルは、第一基板と、第一基板に対向する一側に位置される第二基板と、第一基板と第二基板との間に位置される表示媒体層及び第二基板に設置される複数の第一電極を有すると共に中央画素区に位置される複数の中央画素ユニットと、第二基板に設置される複数の第二電極を有すると共に縁端画素区に位置される複数の縁端画素ユニットとを備える。中央画素ユニットは第一中央サブ画素ユニットと、第二中央サブ画素ユニットと、第三中央サブ画素ユニットとをそれぞれ備え、縁端画素ユニットは第一縁端サブ画素ユニットと、第二縁端サブ画素ユニットと、第三縁端サブ画素ユニットとをそれぞれ含む。第一中央サブ画素ユニット、第二中央サブ画素ユニット及び第三中央サブ画素ユニットは第一方向に沿って配列され、第一縁端サブ画素ユニット、第二縁端サブ画素ユニット及び第三縁端サブ画素ユニットは第三方向に沿って配列され、且つ第三方向と第一方向との間には狭角を有し、且つ第一縁端サブ画素ユニット、第二縁端サブ画素ユニット及び第三縁端サブ画素ユニットは前記第一方向と交叉する一側辺に互いに平行する。好ましくは、第三方向と第一方向との間の狭角は１０度から８０度の間である。また、好ましくは、第一縁端サブ画素ユニット、第二縁端サブ画素ユニット及び第三縁端サブ画素ユニットの側辺と第一方向とがそれぞれ同じ狭角を呈する。このほか、中央画素ユニットは矩形を呈し、縁端画素ユニットは三角形を呈する。さらに、自由形状式表示パネルは非表示区域内に位置されると共に第一基板上に位置される第一ブラックマトリクスと、表示区域内に位置されると共に第一基板上に位置される第二ブラックマトリクスとをさらに備える。第一基板の非表示区域及び表示区域には第一ブラックマトリクス及び第二ブラックマトリクスがそれぞれ設置され、第一縁端サブ画素ユニットは第一ブラックマトリクスに隣接し、且つ第二縁端サブ画素ユニットは第一縁端サブ画素ユニットと第三縁端サブ画素ユニットとの間に位置される。第一縁端サブ画素ユニット及び第二縁端サブ画素ユニットは台形をそれぞれ呈し、第三縁端サブ画素ユニットは三角形を呈する。このほか、第二ブラックマトリクスは中央画素ブラックマトリクス及び縁端画素ブラックマトリクスを含み、中央画素ブラックマトリクスは中央画素ユニットの間隔を空けるのに用いられ、これにより、複数の中央開口部区域が第一電極をそれぞれ露出させる。縁端画素ブラックマトリクスは縁端画素ユニットの間隔を空けるのに用いられ、これにより、複数の縁端開口部区域が第二電極をそれぞれ露出させる。何れか１つの縁端画素ユニットにおける第一縁端サブ画素ユニット、第二縁端サブ画素ユニット及び第三縁端サブ画素ユニットの光出力面積は実質的に同じである。
【発明の効果】
【００１８】
本発明の自由形状式表示パネルによれば、縁端画素区に位置される縁端画素ユニットの縁端開口部区域或いは露出される電極稼働区域の面積の設計により、縁端画素ユニットの第一縁端サブ画素ユニット、第二縁端サブ画素ユニット及び第三縁端サブ画素ユニットが同じ輝度を呈する。これにより、縁端画素ユニットのサイズ及び／或いは形状が改変されることで中央画素ユニットのサイズ及び／或いは形状と異なり、表示区を自由な形状にする目的を達成させ、縁端画素区に位置される縁端画素ユニットの色味や輝度に影響を及ぼさずに、自由形状式表示パネルの表示品質を向上させる。
【図面の簡単な説明】
【００１９】
【図１】本発明の好ましい実施形態に係る自由形状式表示パネルを説明する断面模式図である。
【図２】図２（a）〜（ｂ）は、それぞれ本発明の好ましい実施形態に係る自由形状式表示パネルを説明する断面模式図である。
【図３】本発明の他の好ましい実施形態に係る自由形状式表示パネルの第一電極及び第二電極を示す概念図である。
【図４】本発明の比較例１の自由形状式表示パネルを示す部分の概念図である。
【図５】図５（a）〜（ｄ）は、それぞれ本発明の比較例１の自由形状式表示パネルの中央画素ユニット及び縁端画素ユニットを示す概念図である。
【図６】本発明の第１実施形態及び第２実施形態の自由形状式表示パネルを説明する部分の概念図である。
【図７】図７（a）〜（c）は、それぞれ本発明の第１実施形態の自由形状式表示パネルの縁端画素ユニットを示す概念図である。
【図８】図８（a）〜（c）は、それぞれ本発明の第２実施形態の自由形状式表示パネルの縁端画素ユニットを示す概念図である。
【図９】本発明の第３実施形態及び第４実施形態の自由形状式表示パネルを説明する部分の概念図である。
【図１０】図１０（a）〜（b）は、それぞれ本発明の第３実施形態の自由形状式表示パネルの中央画素ユニット及び縁端画素ユニットを示す概念図である。
【図１１】図１１（a）〜（b）は、それぞれ本発明の第４実施形態の自由形状式表示パネルの中央画素ユニット及び縁端画素ユニットを示す概念図である。
【図１２】本発明の第５実施形態及び第６実施形態の自由形状式表示パネルを説明する部分の概念図である。
【図１３】図１３（a）〜（c）は、それぞれ本発明の第５実施形態の自由形状式表示パネルの中央画素ユニット及び縁端画素ユニットを示す概念図である。
【図１４】図１４（a）〜（c）は、それぞれ本発明の第６実施形態の自由形状式表示パネルの中央画素ユニット及び縁端画素ユニットを示す概念図である。
【図１５】本発明の第７実施形態及び第８実施形態の自由形状式表示パネルを説明する部分の概念図である。
【図１６】図１６（a）〜（b）は、それぞれ本発明の第７実施形態の自由形状式表示パネルの縁端画素ユニットを示す概念図である。
【図１７】図１７（a）〜（b）は、それぞれ本発明の第８実施形態の自由形状式表示パネルの縁端画素ユニットを示す概念図である。
【図１８】本発明の第９実施形態及び第１０実施形態の自由形状式表示パネルを説明する部分の概念図である。
【図１９】本発明の第９実施形態の自由形状式表示パネルの縁端画素ユニットを示す概念図である。
【図２０】本発明の第１０実施形態の自由形状式表示パネルの縁端画素ユニットを示す概念図である。
【図２１】本発明の第１１実施形態の自由形状式表示パネルを説明する部分の概念図である。
【図２２】本発明の第１１実施形態の自由形状式表示パネルの縁端画素ユニットを示す概念図である。
【図２３】本発明の比較例２の自由形状式表示パネルを説明する部分の概念図である。
【図２４】本発明の比較例２の自由形状式表示パネルの縁端画素ユニットを示す概念図である。
【発明を実施するための形態】
【００２０】
以下に、特定の具体的実施例を通じて本発明の実施形態を説明し、本発明の属する技術分野の技術者は本明細書で開示される内容から簡単に本発明その他の利点と効果を理解できる。本発明もその他異なる具体的実施例を通じて実施或いは運用できる。また、本明細書内の各細部に異なる見解と応用について、本発明の要旨を逸脱することなく様々な変更や修正を加えることができる。
【００２１】
図１は本発明の好ましい実施形態に係る自由形状式表示パネルの断面概念図である。本実施形態に係る自由形状式表示装置は、自由形状式表示パネル１及び自由形状式表示パネル１の下方に設置されるバックライトモジュール４を備え、光線が前記自由形状式表示パネル１を透過させる。
【００２２】
図２(a)に示すように、本実施形態の自由形状式表示パネルは表示区域ＡＡ及び非表示区域Ｂを有する。非表示区域Ｂは表示区域ＡＡを包囲させ、表示区域ＡＡは中央画素区Ｐｃ及び縁端画素区Ｐｂを有し、縁端画素区Ｐｂは中央画素区Ｐｃと非表示区域Ｂとの間に設置される。また、本実施形態の自由形状式表示パネルは、第一ブラックマトリクス２２１が非表示区域Ｂ内に位置されると共に第一基板２１に位置され、第二ブラックマトリクス２２２が表示区域ＡＡ内に位置されると共に第一基板２１に位置され、第二ブラックマトリクス２２２が第一ブラックマトリクス２２１に包囲される第一基板２１と、第一基板２１に対向する一側に位置される第二基板１１と、第一基板２１と第二基板１１との間に位置される表示媒体層５と、第二基板１１に設置される複数の第一電極１２１を有すると共に中央画素区Ｐｃに位置される複数の中央画素ユニットと、第二基板１１に設置される複数の第二電極１２２を有すると共に縁端画素区Ｐｂに位置される複数の縁端画素ユニットと、第一基板２１に設置されると共に第一電極１２１が第二電極１２２に対応して設置される共通電極２６とを備える。
【００２３】
本実施形態では、第二基板１１は本技術分野では既知の薄膜トランジスタ基板であり、その上方には薄膜トランジスタ部材(図示せず)が設置される。第一基板２１は本技術分野で常用されるカラーフィルタ片基板であり、その上方にはカラーフィルタ層２５０(中央カラーフィルタユニット２５１及び縁端カラーフィルタユニット２５２を含む)及びブラックマトリクス層(第一ブラックマトリクス２２１及び第二ブラックマトリクス２２２を含む)が設置される。しかしながら、本発明の他の実施形態によれば、カラーフィルタ層２５０(中央カラーフィルタユニット２５１及び縁端カラーフィルタユニット２５２を含む)が第二基板１１に選択的に設置され、中央カラーフィルタユニット２５１及び縁端カラーフィルタユニット２５２が第二基板１１の表示区域ＡＡに設置されると共に第一電極１２１及び第二電極１２２にそれぞれ対応するのみでもよい。このほか、本発明の他の実施形態では、本実施形態による表示パネルがＯＬＥＤ表示パネルの場合、カラーフィルタ層２５０が設置されても設置されなくてもよい。このほか、本実施形態では、第二基板１１と第一基板２１との間には表示媒体層５及び配向層(図示せず)が設置される。前記表示媒体層５は液晶層であり、故に本実施形態で製造される表示パネルは液晶表示パネルである。しかしながら、本発明の他の実施形態では、第二基板１１と第一基板２１との間に有機発光層が設置され、製造される表示パネルがＯＬＥＤ表示パネルであってもよい。
【００２４】
さらに、本実施形態では、第一電極１２１及び第二電極１２２は共通電極２６に対向して設置される。したがって、本実施形態による表示パネルはねじれネマティック液晶(ＴN)表示パネル或いは垂直配向液晶(VＡ)表示パネルである。また、第一電極１２１、第二電極１２２及び対向する一側の電極２６は本技術分野では既知の透明導電酸化物等の透明電極材料により製造される。このほか、本実施形態によれば、第一電極１２１及び第二電極１２２は平板状の電極である。
【００２５】
図２（ｂ）は本発明の他の好ましい実施形態に係る自由形状式表示パネルの断面概念図である。本実施形態の表示パネルの構造は前述の図２(a)に示す実施形態と同じであるが、本実施形態に係る表示パネルは第一電極１２１及び第二電極１２２を備え、図２(a)に示す共通電極２６を備えていない。このため、本実施形態で製造される表示パネルはＩＰＳ方式(IPS)表示パネル或いはＦＦＳ方式(FFS)表示パネルである。この場合、図３は第一電極１２１及び第二電極１２２の上面図を示し、それぞれ櫛歯電極である。第一電極１２１及び第二電極１２２がスリット１２１ａ及びスリット１２２ａの櫛歯電極を備え、スリット(１２２ａ、１２２ｂ)が広さａを有するため、第一電極１２１及び第二電極１２２の稼働区域は第一電極１２１及び第二電極１２２の縁端から距離を空ける広さａに形成される区域と定義される。また、図３は本実施形態で適用される第一電極１２１及び第二電極１２２の内の何れか１つの態様を例示するのみである。しかしながら、本発明の他の実施形態では、第一電極１２１及び第二電極１２２の構造は図３に示す構造に制限されず、例えば、第一電極１２１及び第二電極１２２がのこぎりの歯状の縁端或いは波状の縁端を有し、もしくは第一電極１２１及び第二電極１２２が米字型の電極等であってもよい。
【００２６】
以下、図２(a)及び図２（ｂ）に示す自由形状式表示パネルの縁端画素ユニットの設計の詳細を説明する。
＜比較例１＞
【００２７】
図４は本発明の比較例１の自由形状式表示パネルを示す部分の概念図である。画素ユニットの断面線で示す区域は光出力面積である。なお、本比較例に係る自由形状式表示パネルは、第一中央サブ画素ユニット２３１と、第二中央サブ画素ユニット２３２と、第三中央サブ画素ユニット２３３とをそれぞれ備え、且つ第一中央サブ画素ユニット２３１、第二中央サブ画素ユニット２３２及び第三中央サブ画素ユニット２３３は第一電極１２１にそれぞれ対応される(図２(a)及び図２（ｂ）参照)。図４の俯瞰図によると、中央画素ユニット２３ａが第一ブラックマトリクス２２１に隣接しない。複数の縁端画素ユニット２３ｂは第一縁端サブ画素ユニット２３４と、第二縁端サブ画素ユニット２３５と、第三縁端サブ画素ユニット２３６とをそれぞれ含み、且つ第一縁端サブ画素ユニット２３４、第二縁端サブ画素ユニット２３５及び第三縁端サブ画素ユニット２３６は第二電極１２２にそれぞれ対応される(図２(a)及び図２（ｂ）参照)。図４の俯瞰図によると、縁端画素ユニット２３ｂが非表示区域の第一ブラックマトリクス２２１に隣接する。本比較例に係る自由形状式表示パネルが図２（ｂ）及び図３に示す構造を有する場合、中央画素ユニット及び縁端画素ユニットの概念図は図５(a)及び図５(ｂ)に図示する。本比較例に係る自由形状式表示パネルが図２(a)に示す構造を有する場合、中央画素ユニット及び縁端画素ユニットの概念図は図５(ｃ)及び図５(ｄ)に図示する。図５(a)及び図５(ｃ)に示すように、各中央画素ユニット２３ａにおける第一中央サブ画素ユニット２３１、第二中央サブ画素ユニット２３２及び第三中央サブ画素ユニット２３３は第一方向Ｘに沿って配列され、且つ第一中央サブ画素ユニット２３１、第二中央サブ画素ユニット２３２及び第三中央サブ画素ユニット２３３が第一電極１２１に対応される(図２(a)及び図２（ｂ）参照)。なお、図５(ｂ)及び図５(ｄ)に示すように、各縁端画素ユニット２３ｂにおいて第四サブ画素の第一縁端サブ画素ユニット２３４、第二縁端サブ画素ユニット２３５及び第三縁端サブ画素ユニット２３６は第一方向Ｘに沿って配列され、且つ第一縁端サブ画素ユニット２３４、第二縁端サブ画素ユニット２３５及び第三縁端サブ画素ユニット２３６は第二電極１２２に対応される(図２(a)及び図２（ｂ）参照)。
【００２８】
このほか、図４乃至図５Dの俯瞰図によると、第二ブラックマトリクス２２２は中央画素ブラックマトリクス２２３及び縁端画素ブラックマトリクス２２４を備える。中央画素ブラックマトリクス２２３は中央画素ユニット２３ａの間隔を空けるのに用いられ、これにより、複数の中央開口部区域２４ａがこれら前記第一電極１２１をそれぞれ露出させる(図２(a)及び図２（ｂ）参照)。縁端画素ブラックマトリクス２２４は縁端画素ユニット２３ｂの間隔を空けるのに用いられ、これにより、複数の縁端開口部区域２４ｂがこれら前記第二電極１２２をそれぞれ露出させる(図２(a)及び図２（ｂ）参照)。第一縁端サブ画素ユニット２３４は第一ブラックマトリクス２２１に隣接すると共に基板縁端２１ａに近接され、第二縁端サブ画素ユニット２３５は第一縁端サブ画素ユニット２３４と第三縁端サブ画素ユニット２３６との間に位置される。また、第一中央サブ画素ユニット２３１及び第一縁端サブ画素ユニット２３４は第一カラーをそれぞれ表示させ、第二中央サブ画素ユニット２３２及び第二縁端サブ画素ユニット２３５は第二カラーをそれぞれ表示させ、第三中央サブ画素ユニット２３３及び第三縁端サブ画素ユニット２３６は第三カラーをそれぞれ表示させ、且つ第一カラー、第二カラー及び第三カラーは異なるカラーである。第一中央サブ画素ユニット２３１、第一縁端サブ画素ユニット２３４、第二中央サブ画素ユニット２３２、第二縁端サブ画素ユニット２３５、第三中央サブ画素ユニット２３３及び第三縁端サブ画素ユニット２３６が表示されるカラーは図２及び図３に示すカラーフィルタ層２５０により決定される。また、カラーには特別な制限がなく、例えば第一カラーが赤色、第二カラーが緑色、第三カラーが青色でもよく、本発明はこれに限定されない。
【００２９】
このほか、図５(a)乃至図５(ｄ)に示すように、中央画素ユニットの第一中央サブ画素ユニット２３１、第二中央サブ画素ユニット２３２及び第三中央サブ画素ユニット２３３、或いは縁端画素ユニットの第一縁端サブ画素ユニット２３４、第二縁端サブ画素ユニット２３５及び第三縁端サブ画素ユニット２３６は、第一電極１２１及び第二電極１２２の構造が共に同じであり、且つ同じ稼働区域の面積を有する。また、中央画素ブラックマトリクス２２３或いは縁端画素ブラックマトリクス２２４に形成される中央開口部区域２４ａ及び縁端開口部区域２４ｂも同じ開口面積を有し、故に中央画素ユニット２３ａ及び縁端画素ユニット２３ｂの光出力面積は同じである。なお、いわゆる「中央画素ユニット２３の光出力面積」とは、それが対応される中央画素ブラックマトリクス２２３の中央開口部区域２４ａで露出する第一電極１２１の稼働区域の面積と中央画素ブラックマトリクス２２３の開口率との乗積である。いわゆる「縁端画素ユニット２３ｂの光出力面積」とは、それが対応される縁端画素ブラックマトリクス２２４の縁端開口部区域２４ｂで露出する第二電極１２２の稼働区域の面積と縁端画素ブラックマトリクス２２４の開口率との乗積である。いわゆる中央画素ブラックマトリクス２２３／縁端画素ブラックマトリクス２２４の開口率は中央画素ユニット２３ａ／縁端画素ユニット２３ｂの区域の面積と中央画素ブラックマトリクス２２３／縁端画素ブラックマトリクス２２４の中央開口部区域２４ａ／縁端開口部区域２４ｂとの比率値であり、中央画素ユニット２３ａ／縁端画素ユニット２３ｂの区域の面積及びサイズはそれが対応される中央画素ブラックマトリクス２２３／縁端画素ブラックマトリクス２２４の隣接する２つの中央開口部区域２４ａ／縁端開口部区域２４ｂの隣接する２つの側辺の間の中心線により定義される。以下では、中央画素ブラックマトリクス２２３／縁端画素ブラックマトリクス２２４の中心線と略称する。
【００３０】
しかしながら、図４に示すように、本比較例に係る自由形状式表示パネルであり、理想的には表示区域が図４に示す弧状趨勢線３を有する。但し、本比較例に係る縁端画素ユニット２３ｂ及び中央画素ユニット２３ａが同じ構造を有するため、縁端画素ユニット２３ｂが配列された後では図４に示す弧状趨勢線３が得られず、表示区域が自由形状構造を有する目的を真の意味では達成できない。このため、本発明の下述の実施形態では縁端画素ユニット２３ｂの設計を改変することで、表示区域が自由形状構造を有する目的を真の意味で達成させる。
＜第１実施形態及び第２実施形態＞
【００３１】
図６は本発明の第１実施形態及び第２実施形態の自由形状式表示パネルを説明する部分の概念図である。画素ユニットの断面線により示す区域は光出力面積である。縁端画素ユニットの構造以外の他の構造は比較例１と同じである。第１実施形態に係る自由形状式表示パネルが図２（ｂ）及び図３に示す構造を有する場合、その縁端画素ユニットの概念図は図７（a）乃至図７（c）に図示する。第２実施形態に係る自由形状式表示パネルが図２(a)に示す構造を有する場合、その縁端画素ユニットの概念図は図８（a）乃至図８（c）に図示する。第１実施形態及び第２実施形態と比較例１の中央画素ユニットの構造は同じであるため、再述は省略する。
【００３２】
図７（a）及び図８（a）に示すように、縁端画素ユニットを図６に示す弧状趨勢線３により近づけるため、第二電極１２２の外形を改変させずに、即ち、第一電極１２１及び第二電極１２２の構造が同じであるが、縁端画素ブラックマトリクス２２４の開口率を選択的に改変させる。より具体的には、一部の縁端画素ユニット２３ｂにおける第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの開口面積を、第一中央サブ画素ユニット２３１、第二中央サブ画素ユニット２３２及び第三中央サブ画素ユニット２３３が対応される中央画素ブラックマトリクス２２３の中央開口部区域２４ａの開口面積よりよりもそれぞれ小さく設計させる(図５(a)及び図５(ｃ)参照)。即ち、縁端画素ブラックマトリクス２２４の開口率が中央画素ブラックマトリクス２２３の開口率より小さくなり、一部の縁端画素ユニット２３ｂ及び中央画素ユニット２３ａの光出力面積が相異する。
【００３３】
或いは、図７（b）及び図８（b）に示すように、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの開口面積を改変させず、部分的な第一縁端サブ画素ユニット２３４、第二縁端サブ画素ユニット２３５及び第三縁端サブ画素ユニット２３６が対応される第二電極１２２の稼働区域の面積が、第一中央サブ画素ユニット２３１、第二中央サブ画素ユニット２３２及び第三中央サブ画素ユニット２３３が対応される第一電極１２１の稼働区域の面積よりもそれぞれ小さく設計されることで(図５(a)及び図５(ｃ)参照)、部分的な縁端画素ユニット２３ｂ及び中央画素ユニット２３ａの光出力面積が相異する。
【００３４】
或いは、図７（c）及び図８（c）に示すように、同時に部分的な第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの開口面積及びそれが対応される第二電極１２２の稼働区域の面積が、第一中央サブ画素ユニット２３１、第二中央サブ画素ユニット２３２及び第三中央サブ画素ユニット２３３が対応される中央画素ブラックマトリクス２２３の中央開口部区域２４ａの開口面積及びそれが対応される第一電極１２１の稼働区域の面積よりもそれぞれ小さく設計されることで(図５(a)及び図５(ｃ)参照)、部分的な縁端画素ユニット２３ｂ及び中央画素ユニット２３ａの光出力面積が相異する。
＜第３実施形態及び第４実施形態＞
【００３５】
図９は本発明の第３実施形態及び第４実施形態の自由形状式表示パネルの部分の概念図である。画素ユニットの断面線で示す区域は光出力面積である。縁端画素ユニットの構造以外、他の構造は比較例１と同じである。第３実施形態に係る自由形状式表示パネルが図２（ｂ）及び図３に示す構造を有する場合、その中央画素ユニット及び縁端画素ユニットの概念図は図１０(a)及び図１０(b)に図示する。第４実施形態に係る自由形状式表示パネルが図２(a)に示す構造を有する場合、その中央画素ユニット及び縁端画素ユニットの概念図は図１１(a)及び図１１(b)に図示する。
【００３６】
図１０(a)乃至図１１(b)に示すように、第３実施形態及び第４実施形態において、第一中央サブ画素ユニット２３１、第二中央サブ画素ユニット２３２及び第三中央サブ画素ユニット２３３は第一電極１２１に対応され、第一縁端サブ画素ユニット２３４、第二縁端サブ画素ユニット２３５及び第三縁端サブ画素ユニット２３６は第二電極１２２に対応される。第一電極１２１及び第二電極１２２の構造及びサイズは異なり、且つ部分的な縁端画素ユニット２３ｂにおける第一縁端サブ画素ユニット２３４、第二縁端サブ画素ユニット２３５及び第三縁端サブ画素ユニット２３６の第一方向Ｘ上の広さＴ２(対応される縁端画素ブラックマトリクス２２４の中心線により定義される)は第一中央サブ画素ユニット２３１、第二中央サブ画素ユニット２３２及び第三中央サブ画素ユニット２３３の第一方向Ｘ上の広さＴ１(対応される中央画素ブラックマトリクス２２３の中心線により定義される)よりもそれぞれ小さく設計されるため、縁端画素ブラックマトリクス２２４の開口率が中央画素ブラックマトリクス２２３の開口率より小さい。即ち、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの第一方向Ｘ上の広さＴ２が第一中央サブ画素ユニット２３１、第二中央サブ画素ユニット２３２及び第三中央サブ画素ユニット２３３が対応される中央画素ブラックマトリクス２２３の中央開口部区域２４ａの第一方向Ｘ上の広さＴ１よりもそれぞれ小さく設計される。縁端開口部区域２４ｂの第一方向Ｘ上の広さが改変されるため、第一縁端サブ画素ユニット２３４、第二縁端サブ画素ユニット２３５及び第三縁端サブ画素ユニット２３６で露出する第二電極１２２の稼働区域の面積が第一中央サブ画素ユニット２３１、第二中央サブ画素ユニット２３２及び第三中央サブ画素ユニット２３３で露出する第一電極１２１の稼働区域の面積より小さくなる。これにより、第３実施形態及び第４実施形態において、部分的な縁端画素ユニット２３ｂ及び中央画素ユニット２３ａの光出力面積が相異する。
＜第５実施形態及び第６実施形態＞
【００３７】
図１２は本発明の第５実施形態及び第６実施形態の自由形状式表示パネルの部分の概念図である。画素ユニットの断面線で示す区域は光出力面積であり、縁端画素ユニットの構造以外、他の構造は比較例１と同じである。第５実施形態に係る自由形状式表示パネルが図２（ｂ）及び図３に示す構造を有する場合、中央画素ユニットの概念図は図１３（a）に図示し、縁端画素ユニットの概念図は図１３（b）及び１３Ｃに図示する。第６実施形態に係る自由形状式表示パネルが図２(a)に示す構造を有する場合、中央画素ユニットの概念図は図１４（a）に図示し、縁端画素ユニットの概念図は図１４（b）及び図１４（c）に図示する。
【００３８】
ここでは、図１３（a）及び図１３（b）を比較するか、或いは図１４（a）及び図１４（b）を比較すると、第５実施形態及び第６実施形態において、部分的な縁端画素ユニット２３ｂにおける第一縁端サブ画素ユニット２３４、第二縁端サブ画素ユニット２３５及び第三縁端サブ画素ユニット２３６の第一方向Ｘ上の広さＴ２(対応される縁端画素ブラックマトリクス２２４の中心線により定義される)が第一中央サブ画素ユニット２３１、第二中央サブ画素ユニット２３２及び第三中央サブ画素ユニット２３３の第一方向Ｘ上の広さＴ１(対応される中央画素ブラックマトリクス２２３の中心線により定義される)よりもそれぞれ小さく設計されることが分かる。同時に、第一縁端サブ画素ユニット２３４、第二縁端サブ画素ユニット２３５及び第三縁端サブ画素ユニット２３６の第二方向Ｙ上の広さＴ４(対応される縁端画素ブラックマトリクス２２４の中心線により定義される)は第一中央サブ画素ユニット２３１、第二中央サブ画素ユニット２３２及び第三中央サブ画素ユニット２３３の第二方向Ｙ上の広さＴ３(対応される中央画素ブラックマトリクス２２３の中心線により定義される)よりそれぞれ小さく、且つ第二方向Ｙは第一方向Ｘに実質的に垂直になる。なお、いわゆる「実質的に垂直になる」とは第一方向Ｘと第二方向Ｙとの間の狭角が８５度から９５度の間であることを指す。第一方向Ｘ及び第二方向Ｙ上の広さが改変されることで、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂで露出する第二電極１２２の第一方向Ｘ及び第二方向Ｙ上のサイズが共に第一中央サブ画素ユニット２３１、第二中央サブ画素ユニット２３２及び第三中央サブ画素ユニット２３３が対応される中央画素ブラックマトリクス２２３の中央開口部区域２４ａで露出する第一電極１２１のサイズより小さくなり、故に部分的な縁端画素ユニット２３ｂ及び中央画素ユニット２３ａの光出力面積が相異する。
【００３９】
或いは、図１３（a）及び図１３（c）を比較するか、図１４（a）及び図１４（c）を比較すると、部分的な縁端画素ユニット２３ｂにおける第一縁端サブ画素ユニット２３４、第二縁端サブ画素ユニット２３５及び第三縁端サブ画素ユニット２３６の第一方向Ｘ上の広さＴ２(対応される縁端画素ブラックマトリクス２２４の中心線により定義される)が第一中央サブ画素ユニット２３１、第二中央サブ画素ユニット２３２及び第三中央サブ画素ユニット２３３の第一方向Ｘ上の広さＴ１(対応される中央画素ブラックマトリクス２２３の中心線により定義される)よりもそれぞれ小さく設計され、第一縁端サブ画素ユニット２３４、第二縁端サブ画素ユニット２３５及び第三縁端サブ画素ユニット２３６の第二方向Ｙ上の広さＴ３(対応される縁端画素ブラックマトリクス２２４の中心線により定義される)が第一中央サブ画素ユニット２３１、第二中央サブ画素ユニット２３２及び第三中央サブ画素ユニット２３３の第二方向Ｙ上の広さＴ４(対応される中央画素ブラックマトリクス２２３の中心線により定義される)と同じであることが分かる。同時に、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの第一方向Ｘ及び第二方向Ｙ上の広さが第一中央サブ画素ユニット２３１、第二中央サブ画素ユニット２３２及び第三中央サブ画素ユニット２３３が対応される中央画素ブラックマトリクス２２３の中央開口部区域２４ａの第一方向Ｘ及び第二方向Ｙ上の広さよりそれぞれ狭く設計される。縁端開口部区域２４ｂの第一方向Ｘ及び第二方向Ｙ上の広さが改変されることで、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂで露出する第二電極１２２の稼働区域の面積が第一中央サブ画素ユニット２３１、第二中央サブ画素ユニット２３２及び第三中央サブ画素ユニット２３３が対応される中央画素ブラックマトリクス２２３の中央開口部区域２４ａで露出する第一電極１２１の稼働区域の面積より小さくなる。この場合、図１３（b）及図１４（b）に示すように、露出する第二電極１２２が同じ稼働区域の面積を有すると共に部分的な縁端画素ユニット２３ｂ及び中央画素ユニット２３ａの光出力面積が相異する目的を達成させる。
＜第７実施形態及び第８実施形態＞
【００４０】
図１５は本発明の第７実施形態及び第８実施形態の自由形状式表示パネルの部分の概念図である。画素ユニットの断面線で示す区域は光出力面積であり、縁端画素ユニットの構造以外、他の構造は比較例１と同じである。第７実施形態に係る自由形状式表示パネルが図２（ｂ）及び図３に示す構造を有する場合、第一電極１２１及び第二電極１２２の縁端画素ユニットの概念図は図１６（a）乃至図１６（b）に図示する。第８実施形態に係る自由形状式表示パネルが図２(a)に示す構造を有する場合、第一電極１２１及び第二電極１２２の縁端画素ユニットの概念図は図１７（a）乃至図１７（b）に図示する。第７実施形態及び第８実施形態と比較例１の中央画素ユニットの構造は同じであり、再述は省略する。
【００４１】
図１６（a）及び図１７（a）に示すように、第二電極１２２の第二方向Ｙ上のサイズを改変させずに第一方向Ｘ上のサイズのみを改変させる。例えば、図１６（a）に示すように、第二電極１２２の櫛歯電極棒状部の数量を減少させるか、或いは、図１７（a）に示すように、第二電極１２２の第一方向Ｘの広さを減少させる。この場合、第一縁端サブ画素ユニット２３４、第二縁端サブ画素ユニット２３５及び第三縁端サブ画素ユニット２３６の縁端開口部区域２４ｂで露出する第二電極１２２の稼働区域の面積が実質的に同じになる目的を達成させるため、部分的な縁端画素ユニット２３ｂにおける第一縁端サブ画素ユニット２３４が対応される縁端画素ブラックマトリクス２２４の縁端開口部区域２４ｂの面積を前記第二縁端サブ画素ユニット２３５が対応される縁端画素ブラックマトリクス２２４の縁端開口部区域２４ｂの面積より小さく設計させ、且つ前記第二縁端サブ画素ユニット２３５が対応される縁端画素ブラックマトリクス２２４の縁端開口部区域２４ｂの面積が第三縁端サブ画素ユニット２３６が対応される縁端画素ブラックマトリクス２２４の縁端開口部区域２４ｂの面積よりも小さくなる。このほか、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの開口面積は第一中央サブ画素ユニット２３１、第二中央サブ画素ユニット２３２及び第三中央サブ画素ユニット２３３が対応される中央画素ブラックマトリクス２２３の中央開口部区域２４ａの開口の面積よりそれぞれ小さい(図５(a)及び図５(ｃ)参照)。これにより、部分的な縁端画素ユニット２３ｂ及び中央画素ユニット２３ａの光出力面積が相異する。
【００４２】
或いは、図１６（b）及び図１７（b）に示すように、第一電極１２１及び第二電極１２２の第一方向Ｘ及び第二方向Ｙ上のサイズを同時に改変させることで、第一縁端サブ画素ユニット２３４、第二縁端サブ画素ユニット２３５及び第三縁端サブ画素ユニット２３６が対応される第二電極１２２の光出力面積が実質的に同じになる目的を達成させる。第一縁端サブ画素ユニット２３４、第二縁端サブ画素ユニット２３５及び第三縁端サブ画素ユニット２３６が対応される縁端画素ブラックマトリクス２２４の縁端開口部区域２４ｂは図１６（a）及び図１７（a）に示すのと同じになる。これにより、部分的な縁端画素ユニット２３ｂ及び中央画素ユニット２３ａの光出力面積が相異する。
＜第９実施形態及び第１０実施形態＞
【００４３】
図１８は本発明の第９実施形態及び第１０実施形態の自由形状式表示パネルの部分の概念図である。画素ユニットの断面線で示す区域は光出力面積であり、縁端画素ユニットの構造以外、他の構造は比較例１と同じである。第９実施形態に係る自由形状式表示パネルが図２（ｂ）及び図３に示す構造を有する場合、その縁端画素ユニットの概念図は図１９に図示する。第１０実施形態に係る自由形状式表示パネルが図２(a)に示す構造を有する場合、その縁端画素ユニットの概念図は図２０に図示する。第９実施形態及び第１０実施形態と比較例１の中央画素ユニットの構造は同じであり、再述は省略する。
【００４４】
図１８乃至図２０に示すように、第９実施形態及び第１０実施形態では、縁端画素ユニット２３ｂが配列された後に図１８に示す弧状趨勢線３が得られるように、部分的な縁端画素ユニット２３ｂにおける第一縁端サブ画素ユニット２３４、第二縁端サブ画素ユニット２３５及び第三縁端サブ画素ユニット２３６が対応される縁端画素ブラックマトリクス２２４の縁端開口部区域２４ｂを第一側辺２４２及び第一側辺２４２に対応する第二側辺２４３をそれぞれ備えるように設計させ、且つ第一側辺２４２と第二側辺２４３との間に第一側辺２４２及び第二側辺２４３に相互に交叉する傾斜辺２４１を有する。同一の縁端画素ユニット２３ｂにおける第一縁端サブ画素ユニット２３４、第二縁端サブ画素ユニット２３５及び第三縁端サブ画素ユニット２３６の第一基板２１の基板縁端２１ａとの距離が最も近い傾斜辺２４１と第一方向Ｘとがそれぞれ同じ狭角を呈し、且つ前記狭角は９０度より小さい。即ち、第一縁端サブ画素ユニット２３４、第二縁端サブ画素ユニット２３５及び第三縁端サブ画素ユニット２３６の縁端開口部区域２４ｂは台形を呈し、前記傾斜辺２４１は第一ブラックマトリクス２２１に隣接する。好ましくは、第一縁端サブ画素ユニット２３４が対応される縁端画素ブラックマトリクス２２４の縁端開口部区域２４ｂの面積が前記第二縁端サブ画素ユニット２３５が対応される縁端画素ブラックマトリクス２２４の縁端開口部区域２４ｂの面積より小さく設計され、前記第二縁端サブ画素ユニット２３５が対応される縁端画素ブラックマトリクス２２４の縁端開口部区域２４ｂの面積が第三縁端サブ画素ユニット２３６が対応される縁端画素ブラックマトリクス２２４の縁端開口部区域２４ｂの面積より小さい。且つ、より好ましくは、第一縁端サブ画素ユニット２３４、第二縁端サブ画素ユニット２３５及び第三縁端サブ画素ユニット２３６は第一基板２１の基板縁端２１ａに距離が最も近い傾斜辺２４１と連接されて直線になる。
【００４５】
このほか、第二電極１２２の第一方向Ｘ及び第二方向Ｙ上のサイズをさらに改変させる。例えば、図１９に示すように、第二電極１２２の櫛歯電極棒状部の数量及び第二電極１２２の第二方向Ｙ上のサイズを減少させるか、或いは図２０に示すように、第二電極１２２の第一方向Ｘ及び第二方向Ｙ上の広さを減少させることで、第一縁端サブ画素ユニット２３４、第二縁端サブ画素ユニット２３５及び第三縁端サブ画素ユニット２３６の光出力面積が実質的に同じになる。また、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの開口面積は第一中央サブ画素ユニット２３１、第二中央サブ画素ユニット２３２及び第三中央サブ画素ユニット２３３が対応される中央画素ブラックマトリクス２２３の中央開口部区域２４ａの開口面積よりそれぞれ小さい(図５(a)及び図５(ｃ)参照)。
＜第１１実施形態＞
【００４６】
図２１は本発明の第１１実施形態の自由形状式表示パネルの部分の概念図である。画素ユニットの断面線で示す区域は光出力面積であり、縁端画素ユニットの構造以外、他の構造は比較例１と同じである。本実施形態に係る自由形状式表示パネルが図２(a)に示す構造を有する場合、その縁端画素ユニットの概念図は図２２に図示する。本実施形態及び比較例１の中央画素ユニットの構造は同じであるため、再述は省略する。
【００４７】
図２２に示すように、本実施形態では、縁端画素ユニット２３ｂが配列された後に図１８に示す弧状趨勢線３を得られるようにするため、部分的な縁端画素ユニット２３ｂにおける第一縁端サブ画素ユニット２３４、第二縁端サブ画素ユニット２３５及び第三縁端サブ画素ユニット２３６が第三方向Ｚに沿って配列され、且つ第三方向Ｚと第一方向Ｘ及び第二方向Ｙとが相異する。ここでは、第三方向Ｚは第一方向Ｘ及び第二方向Ｙとはそれぞれ４５度を呈する。しかしながら、本発明の他の実施形態によれば、第三方向Ｚと第一方向Ｘとの間には１０度から８０度の間の狭角を有する。このほか、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの傾斜辺２４１が互いに平行する。本実施形態では、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂの傾斜辺２４１と第一方向Ｘとが同じ狭角をそれぞれ呈する。より具体的には、中央画素ユニット２３ａが矩形を呈し、縁端画素ユニット２３ｂが三角形を呈する。特に、第一縁端サブ画素ユニット２３４は第一ブラックマトリクス２２１に隣接し、且つ第二縁端サブ画素ユニット２３５は第一縁端サブ画素ユニット２３４と第三縁端サブ画素ユニット２３６との間に位置されると共に第一縁端サブ画素ユニット２３４及び第二縁端サブ画素ユニット２３５は台形をそれぞれ呈し、第三縁端サブ画素ユニット２３６は三角形を呈する。このほか、本実施形態では、さらに第一縁端サブ画素ユニット２３４、第二縁端サブ画素ユニット２３５及び第三縁端サブ画素ユニット２３６が対応される縁端画素ブラックマトリクス２２４の縁端開口部区域２４ｂで露出する第二電極１２２の稼働区域の面積が実質的に同じになる。
【００４８】
本発明の前述の第１実施形態乃至第１０実施形態における、いわゆる「実質的に円形」とは外形の円形に相似することを指す。また、いわゆる「円形」とは正円形に限定されず、扁円形(即ち、楕円形)でもよい。いわゆる「稼働区域の面積が実質的に同じ」とは、サブ画素ユニットが対応される第一電極の稼働区域の面積の差異が１０％より小さいことを指す。
【００４９】
前述の第１実施形態乃至第１１実施形態では、部分的な縁端画素ユニット２３ｂの光出力面積を改変することで、部分的な縁端画素ユニット２３ｂの光出力面積及び中央画素ユニット２３ａの光出力面積が相異し、自由形状での表示の目的を達成させる。また、いわゆる「中央画素ユニット２３ａの光出力面積」とは、対応される中央画素ブラックマトリクス２２３の中央開口部区域２４ａで露出する第一電極１２１の稼働区域の面積と中央画素ブラックマトリクス２２３の開口率との乗積を指す。いわゆる「縁端画素ユニット２３ｂの光出力面積」とは、対応される縁端画素ブラックマトリクス２２４の縁端開口部区域２４ｂで露出する第二電極１２２の稼働区域の面積と縁端画素ブラックマトリクス２２４の開口率との乗積を指す。いわゆる中央画素ブラックマトリクス２２３／縁端画素ブラックマトリクス２２４の開口率とは、中央画素ユニット２３ａ／縁端画素ユニット２３ｂの区域の面積と中央画素ブラックマトリクス２２３／縁端画素ブラックマトリクス２２４の中央開口部区域２４ａ／縁端開口部区域２４ｂとの比率値を指す。このほか、前述の第１実施形態乃至第１１実施形態において、第一縁端サブ画素ユニット２３４、第二縁端サブ画素ユニット２３５及び第三縁端サブ画素ユニット２３６の光出力面積は実質的に同じである。これにより、縁端画素ユニット２３ｂのカラー表示に異常が発生するのを防ぐ。ここでは、「光出力面積が実質的に同じ」とは、サブ画素ユニットの光出力面積の差異が１０％より小さいことを指す。
【００５０】
前述の第１実施形態乃至１１において、第一中央サブ画素ユニット２３１、第二中央サブ画素ユニット２３２及び第三中央サブ画素ユニット２３３の内の何れか１つが対応される中央画素ブラックマトリクス２２３の中央開口部区域２４ａ及び対応される第一電極１２１の稼働区域の面積はそれぞれＯ及びＷであり、一部の縁端画素ユニット２３ｂにおける第一縁端サブ画素ユニット２３４、第二縁端サブ画素ユニット２３５及び第三縁端サブ画素ユニット２３６の内の何れか１つが対応される縁端画素ブラックマトリクス２２４の縁端開口部区域２４ｂ及び対応される第二電極１２２の稼働区域の面積はそれぞれＯ’及びＷ’であり、且つＯ、Ｏ’、Ｗ、及びＷ’は以下の式(I)に符合する。
(Ｏ×Ｗ)／(Ｏ’×Ｗ’)＞１  (I)。
【００５１】
より好ましくは、第一中央サブ画素ユニット２３１が対応される中央画素ブラックマトリクス２２３の中央開口部区域２４ａ及び対応される第一電極１２１の稼働区域の面積がそれぞれＯＲ及びＷＲであり、第二中央サブ画素ユニット２３２が対応される中央画素ブラックマトリクス２２３の中央開口部区域２４ａ及び対応される第一電極１２１の稼働区域の面積がそれぞれＯＧ及びＷＧであり、第三中央サブ画素ユニット２３３が対応される中央画素ブラックマトリクス２２３の中央開口部区域２４ａ及び対応される第一電極１２１の稼働区域の面積がそれぞれＯＢ及びＷＢである。一部の縁端画素ユニット２３ｂにおける第一縁端サブ画素ユニット２３４が対応される縁端画素ブラックマトリクス２２４の縁端開口部区域２４ｂ及び対応される第二電極１２２の稼働区域の面積がそれぞれＯＲ’及びＷＲ’であり、第二縁端サブ画素ユニット２３５が対応される縁端画素ブラックマトリクス２２４の縁端開口部区域２４ｂ及び対応される第二電極１２２の稼働区域の面積がそれぞれＯＧ’及びＷＧ’であり、第三縁端サブ画素ユニット２３６が対応される縁端画素ブラックマトリクス２２４の縁端開口部区域２４ｂ及び対応される第二電極１２２の稼働区域の面積がそれぞれＯＢ’及びＷＢ’である。ＯＲ’、ＷＲ’、ＯＧ’、ＷＧ’、ＯＢ’、ＷＢ’、ＯＲ、ＷＲ、ＯＧ、ＷＧ、ＯＢ及びＷＢは以下の式(II)に符合する。
(ＯＲ×ＷＲ)／(ＯＲ’×ＷＲ’)＝(ＯＧ×ＷＧ)／(ＯＧ’×ＷＧ)＝(ＯＢ×ＷＢ)／(ＯＢ’×ＷＢ’)＞１   (II)。
＜比較例２＞
【００５２】
図２３は本発明の比較例２の自由形状式表示パネルの部分の概念図である。画素ユニットの断面線で示す区域は光出力面積であり、縁端画素ユニットの構造以外、他の構造は比較例１と同じである。本比較例に係る自由形状式表示パネルが図２（ｂ）に示す構造を有する場合、その縁端画素ユニットの概念図は図２４に図示する。本比較例及び比較例１の中央画素ユニットの構造は同じであるため、再述は省略する。
【００５３】
図２３に示すように、本比較例では、縁端カラーフィルタユニット２５２が弧形縁端２２１ａを有するように設計される。しかしながら、この場合、図２４に示すように、第三縁端サブ画素ユニット２３６、第二縁端サブ画素ユニット２３５及び第一縁端サブ画素ユニット２３４が対応される縁端画素ブラックマトリクス２２４の縁端開口部区域２４ｂで露出する第二電極１２２の面積は順に漸減してゆき、第一縁端サブ画素ユニット２３４、第二縁端サブ画素ユニット２３５及び第三縁端サブ画素ユニット２３６が対応される縁端画素ブラックマトリクス２２４の縁端開口部区域２４ｂで露出する第二電極１２２で露出する稼働区域の面積が相異し、これにより縁端画素ユニット２３ｂのカラー表示に異常が発生する。
【００５４】
前述の第１実施形態乃至第１１実施形態によれば、第一縁端サブ画素ユニット、第二縁端サブ画素ユニット及び第三縁端サブ画素ユニットのサイズ或いは対応される縁端画素ブラックマトリクスの縁端開口部区域の開口面積の大きさが改変されることで、縁端画素ユニットが配列された後に図６、図９、図１２、図１５、図１８及び図２１に示す弧状趨勢線３に近似するようになり、比較例１と比較して真の意味で表示区域が自由形状構造を有するようになる目的を達成させる。このほか、第一縁端サブ画素ユニット、第二縁端サブ画素ユニット及び第三縁端サブ画素ユニットが対応される縁端画素ブラックマトリクスの縁端開口部区域で露出する第二電極の稼働区域の面積が実質的に同じ場合、第一縁端サブ画素ユニット、第二縁端サブ画素ユニット及び第三縁端サブ画素ユニットのサイズが改変されるか、対応される縁端画素ブラックマトリクスの縁端開口部区域の開口面積の大きさが改変されるが、第一縁端サブ画素ユニット、第二縁端サブ画素ユニット及び第三縁端サブ画素ユニットの間の光出力面積は実質的に同じままであり、互いの間の輝度が相似し、比較例２のような、画素ユニットのサイズが改変されるか、その開口面積の大きさが改変されることで各画素間の輝度が相異して、発色に偏差が発生する問題が回避される。
【００５５】
このほか、本発明の前述の実施形態で製造される表示パネルは、本技術分野の表示画面が必要なあらゆる既知の電子装置に応用可能であり、例えば表示器、携帯電話、ノートパソコン、ビデオカメラ、カメラ、音楽プレーヤー、ＧＰＳ装置、テレビ、腕時計等に応用される。
【００５６】
以上に述べた実施形態は、あくまでも説明の便宜のために挙げたものであって、本発明で主張する権利範囲は特許請求の範囲で記載されるものを基準とし、上記実施形態のみに限定されるものではない。
【符号の説明】
【００５７】
１  自由形式表示パネル
１１  第二基板
１２１  第一電極
１２２  第二電極
１２１ａ  スリット
１２２ａ  スリット
２１  第一基板
２１ａ  基板縁端
２２１  第一ブラックマトリクス
２２１ａ  弧状縁端
２２２  第二ブラックマトリクス
２２３  中央画素ブラックマトリクス
２２４  縁端画素ブラックマトリクス
２３ａ  中央画素ユニット
２３ｂ  縁端画素ユニット
２３１  第一中央サブ画素ユニット
２３２  第二中央サブ画素ユニット
２３３  第三中央サブ画素ユニット
２３４  第一縁端サブ画素ユニット
２３５  第二縁端サブ画素ユニット
２３６  第三縁端サブ画素ユニット
２４ａ  中央開口部区域
２４ｂ  縁端開口部区域
２４１  傾斜辺
２４２  第一側辺
２４３  第二側辺
２５０  カラーフィルタ層
２５１  中央カラーフィルタユニット
２５２  縁端カラーフィルタユニット
２６  共通電極
３  弧状趨勢線
４  バックライトモジュール
５  表示媒体層
ａ  広さ
ＡＡ  表示区
Ｂ  非表示区
Ｘ  第一方向
Ｐｂ  縁端画素区
Ｐｃ  中央画素区
Ｙ  第二方向
Ｔ１〜Ｔ４  広さ
Ｚ  第三方向
【図１】
2016085448.tif 000003
【図２】
2016085448.tif 000004
【図３】
2016085448.tif 000005
【図４】
2016085448.tif 000006
【図５】
2016085448.tif 000007
【図６】
2016085448.tif 000008
【図７】
2016085448.tif 000009
【図８】
2016085448.tif 000010
【図９】
2016085448.tif 000011
【図１０】
2016085448.tif 000012
【図１１】
2016085448.tif 000013
【図１２】
2016085448.tif 000014
【図１３】
2016085448.tif 000015
【図１４】
2016085448.tif 000016
【図１５】
2016085448.tif 000017
【図１６】
2016085448.tif 000018
【図１７】
2016085448.tif 000019
【図１８】
2016085448.tif 000020
【図１９】
2016085448.tif 000021
【図２０】
2016085448.tif 000022
【図２１】
2016085448.tif 000023
【図２２】
2016085448.tif 000024
【図２３】
2016085448.tif 000025
【図２４】
2016085448.tif 000026